(57)【特許請求の範囲】
【請求項１】
二本の縦材と、縦材間に架設された横架材とで建枠を構成し、この建枠を多数列設した後に横架材上にフックを介して複数の足場板を長手方向に沿って架設し、各足場板間に横架材に沿って隙間が形成される枠組足場にあって、短手方向に沿う弾性なカバー体と、カバー体の下面中央から垂設した一対の弯曲した板ばねとからなる遮蔽部材を設け、この遮蔽部材における一対の弯曲した板ばねを横架材上に嵌合させると共にカバー体の両端部を各足場板に当接させた足場板における隙間遮蔽装置において、カバー体が山形に形成の弾性な板と、この板の下面中央に設けた一対の引掛片とからなり、一対の弯曲した板ばねが垂直片と、垂直片の上端に設けた係止片と、垂直片の下部に連設した弯曲片と、弯曲片の下部に連設されて外方に拡径するガイド片とからなり、上記一対の垂直片間に補強板を架設し、この補強板の中央下面にストップ片を垂設させ、上記係止片を引掛片に係止させながら両者を溶着させ、板ばねが上記フックとの干渉を防止する隙間を設けていることを特徴とする足場板における隙間遮蔽装置。
【発明の詳細な説明】
【０００１】
【発明の属する技術分野】
本発明は、建築現場、土木工事現場において使用する足場板間に形成される隙間を塞ぐのに適用する足場板における隙間遮蔽装置に関する。
【０００２】
【従来の技術】
一般に建築現場、土木工事現場で使用される枠組足場は、一対の縦材と縦材間に架設された横架材とからなる建枠を多数起立し、この建枠間に短手方向と長手方向に沿って多数の足場板を直列に配置してなる。
【０００３】
この従来の足場板１，１は、図９に示すように、例えば二つの板体２，２を長手方向に沿って並列に設け、各板体２，２の前後端は支持板３，３を介して結合され、更に各支持板３，３の端部にはフック４，４が設けられ、このフック４，４を縦材５，５間に架設した横架材６に引掛けるようになっている。
【０００４】
更に上記従来の足場板１には各板体２，２間に長手方向に沿ってわずかな隙間Ａが形成され、又、足場板１，１間にも長手方向に沿って隙間Ｂが形成されるのが普通であり、又、長手方向に沿う足場板１，１間にも横架材６に沿って短手方向に隙間Ｃが形成される。
【０００５】
【発明が解決しようとする課題】
上記従来の枠組足場は各板体２，２間に隙間Ａが形成され、同じく隣接する足場板１，１間に隙間Ｂが形成されているので、この隙間Ａ，Ｂを介して足場板１上で工事を行なっている際にボルト，コンクリートの破片等が下方に落下する場合があり、危険である。
【０００６】
又、フック４を介して支持板３、すなわち、足場板１を横架材６に組付けた時、隣接する足場板１，１間にはどうしてもフック４の直径分の隙間Ｃが発生してしまい、この隙間Ｃを介して上記と同じようにボルト等の小物が落下するおそれがある。
【０００７】
そこで、本発明の目的は、足場板自体に形成される隙間や枠組足場における足場板間に形成される隙間を遮蔽部材で確実に塞ぎ、しかも、遮蔽部材がはずれないようにした足場板における隙間遮蔽装置を提供することである。
【０００８】
【課題を解決するための手段】
上記の目的を達成するため、本発明による足場板における隙間遮蔽装置は、基本的には、二本の縦材と、縦材間に架設された横架材とで建枠を構成し、この建枠を多数列設した後に横架材上にフックを介して複数の足場板を長手方向に沿って架設し、各足場板間に横架材に沿って隙間が形成される枠組足場において、短手方向に沿う弾性なカバー体と、カバー体の下面中央から垂設した一対の弯曲した板ばねとからなる遮蔽部材を設け、この遮蔽部材における一対の弯曲した板ばねを横架材上に嵌合させると共にカバー体の両端部を各足場板に当接させてなるとする。
【０００９】
この場合、より具体的には、カバー体が山形に形成の弾性な板と、この板の下面中央に設けた一対の引掛片とからなり、一対の弯曲した板ばねが垂直片と、垂直片の上端に設けた係止片と、垂直片の下部に連設した弯曲片と、弯曲片の下部に連設されて外方に拡径するガイド片とからなり、上記一対の垂直片間に補強板を架設し、この補強板の中央下面にストップ片を垂設させ、上記係止片を引掛片に係止させながら両者を溶着させているのが好ましい。
【００１０】
同じく、板ばねが上記フックとの干渉を防止する隙間を途中に設けているのが好ましい。
【００１１】
【００１２】
【００１３】
【発明の実施の形態】
以下、本発明の実施の形態を図にもとづいて説明する。
【００１４】
図１は本発明の一実施の形態に係る足場板における隙間遮蔽装置を組付けた枠組足場を示す。
【００１５】
この枠組足場Ｐは縦材５と横架材６とからなる建枠７と、各建枠７，７間の横架材６にフック４を介して長手方向に架設した足場板１，１と、足場板１，１の外側に配設した巾木８，８とからなっている。
【００１６】
各足場板１は長手方向に沿って並行に設けた一対の板体２，２と各板体２，２の前後端に結合した支持板３，３とからなり、長手方向に沿う足場板１，１間に形成される短手方向の隙間Ｃ（図９参照）は第１の遮蔽部材９で遮蔽されている。
【００１７】
同じく各隣接する足場板１，１間に長手方向に形成される隙間Ｂ（図９参照）は第２の遮蔽部材１０を介して遮蔽され、更に各板体２，２間に長手方向に沿って形成される隙間Ａ（図９参照）は第３の遮蔽部材１１，１１で遮蔽されている。更に巾木８は水平方向の遮蔽板１２が設けられ、この遮蔽板１２を板体２上に当接することにより足場板１と巾木８との間の隙間も塞がれている。従って枠組足場における足場板１の周辺にはどこにも隙間が無く、工具等が落下せず安全性を保つことができる。
【００１８】
次に各遮蔽部材９，１０，１１の構造とこれを利用した足場板における隙間遮蔽装置を詳しく説明する。
【００１９】
先ず第１の遮蔽部材９を利用した足場板における隙間遮蔽装置について説明する。
【００２０】
これは、上記したように二本の縦材５，５と、縦材５，５間に架設された横架材６とで建枠７を構成し、この建枠７を多数列設した後に横架材６上にフック４を介して複数の足場板１，１を長手方向に沿って架設し、各足場板１，１間に横架材６に沿って隙間Ｃが形成される枠組足場Ｐに使用するものである。そして第１の遮蔽部材９は短手方向に沿う弾性なカバー体１３と、カバー体１３の下面中央から垂設した一対の弯曲した板ばね１４，１４とからなり、図４に示すように、遮蔽部材９における板ばね１４を横架材６上に嵌合させると共にカバー体１３の両端部を各足場板１，１に当接させたことを特徴とするものである。
【００２１】
上記の第１の遮蔽部材９においては、図２乃至図４に示すように、カバー体１３が山形状の弾性な板と、板の下面中央に設けた一対の引掛片１５とを備えている。
【００２２】
同じく、各板ばね１４が垂直片１６と、垂直片１６の上端に設けた係止片１７と、垂直片１６の下部に連設した弯曲片１８と、弯曲片１８の下部に連設されて外方に拡径するガイド片１９とからなり、更に上記一対の垂直片１６，１６間に補強板２０を架設し、この補強板２０の中央下面にストップ片２１を垂設させている。
【００２３】
尚、上記係止片１７を引掛片１５に係止させながら両者を溶着させているが、両者をカシメ固定、又は他の止め具等を介して結合させても良い。
【００２４】
更に図２に示すように、板ばね１４の途中にフック４との干渉を防止する隙間Ｓを設けている。
【００２５】
次に第２の遮蔽部材１０について第５図，第６図の参考例にもとづいて説明する。
【００２６】
この遮蔽部材１０は第１図に示すように、二本の縦材５，５と、縦材５，５間に架設された横架材６とで建枠７を構成し、この建枠７を多数列設した後に横架材６上にフック４を介して複数の足場板１を短手方向と長手方向に沿って架設し、短手方向に隣接する足場板１，１間に隙間Ｂが形成される枠組足場Ｐに使用するものである。遮蔽部材１０は長手方向に沿うカバー体２２と、カバー体２２の下面に並行に垂設したＶ字状の一対の板ばね２３，２３とからなり、遮蔽部材１０における各板ばね２３，２３を隙間Ｂ内に嵌合させながらカバー体２２の両端部を各足場板１，１に当接させるものである。
【００２７】
上記第２の遮蔽部材１０によれば、板ばね２３が隙間Ｂ内に嵌合した時、この板ばね２３の端部がばね力によって足場板１の側面に圧接し、カバー体２２が上方に抜けられるのを防止する。隙間Ｂの大きさは足場板１の配置状態で必ずしも一定でないが、図６に示すように隙間Ｂの巾が小さくなった場合でも板ばね２３が圧縮し、変形しながら上記と同じように足場板１の側面に圧接する。
【００２８】
次に第３の遮蔽部材１１について図７，図８の参考例にもとづいて説明する。
【００２９】
これは上記したように足場板１を構成する二つの板２，２間に形成される隙間Ａを塞ぐもので、この遮蔽部材１０は長手方向に沿うカバー体２４と、カバー体２４の中央に垂設した連結フレーム２５と、連結フレーム２５の下端に連設した断面Ｖ字状又は逆Ｖ字状の板ばね２６とからなり、遮蔽部材１０における板ばね２６を隙間Ａ内に嵌合させながらカバー体２４の両端部を各板体２，２に当接させるものである。
【００３０】
図示の実施の形態では板ばね２６が上向きでＶ字状に形成されているが、この板ばね２６は図示のものと逆に下向きの逆Ｖ字状に形成しても良く、カバー体２４の下面には補強用のリブ２７を設けても良い。
【００３１】
上記の板ばね２６は隙間Ａ内に嵌合した時、隙間Ａの大きさに応じて圧縮しなら、その両端が板体２の側面に圧接し、カバー体２４が上方に抜けるのを防止している。
【００３２】
尚、上記の各実施の形態に係る遮蔽部材９，１０，１１はポリプロピレン樹脂で成形するのが好ましい。この場合には加工性や経済性にすぐれている。
【００３３】
【発明の効果】
本発明によれば、次の効果がある。
【００３４】
（１）請求項１の発明によれば、足場板間の隙間又は足場板を構成する板体間の隙間に遮蔽部材を介装させているので隙間が確実に塞がれ、ボルト等の工具やその他の小物が落下するのが防止され、しかも遮蔽部材は板ばねを備え、この板ばねが自己のばね力によって建枠の横架材に嵌合したり、足場板又は板体の側面に圧接するから遮蔽部材全体が上方に抜けたりするのが防止できる。
【００３５】
（２）同じく、請求項１の発明によれば、板ばねが弯曲しているからパイプ状の横架材の外面に均一にフイットでき、又、板ばねは下部にガイド片を設けているから、このガイド片を介してスムースに板ばねを横架材上に案内でき、更に板ばねは補強板を介してストップ片を備えているので、板ばねを嵌合した時このストップ片が横架材上に当接し位置決めが可能となる。
【００３６】
【図面の簡単な説明】
【図１】  本発明に係る足場板における隙間遮蔽装置を備えた枠組足場の斜視図である。
【図２】  図１の遮蔽部材の斜視図である。
【図３】   図２の拡大横断正面図である。
【図４】  図２の遮蔽部材を足場板間の隙間に装着した正面図である。
【図５】  参考例に係わる遮蔽部材の拡大横断正面図である。
【図６】  図５の遮蔽部材を足場板間の隙間に装着した正面図である。
【図７】  他の参考例に係わる遮蔽部材の拡大横断正面図である。
【図８】   図７の遮蔽部材を板体間の隙間に装着した正面図である。
【図９】  従来の枠組足場の斜視図である。
【符号の説明】
１  足場板
２  板体
４  フック
５  縦材
６  横架材
７  建枠
９，１０，１１  遮蔽部材
１３，２２，２４  カバー体
１４，２３，２６  板ばね
１５  引掛片
１６  垂直片
１７  係止片
１８  弯曲片
１９  ガイド片
２０  補強板
２１  ストップ片
２５  連結フレーム
Ａ，Ｂ，Ｃ  隙間
Ｐ  枠組足場
【図１】
0004703893.tif 000002
【図２】
0004703893.tif 000003
【図３】
0004703893.tif 000004
【図４】
0004703893.tif 000005
【図５】
0004703893.tif 000006
【図６】
0004703893.tif 000007
【図７】
0004703893.tif 000008
【図８】
0004703893.tif 000009
【図９】
0004703893.tif 000010